(57)【要約】【課題】１操作で非使用状態から使用状態に遷移させることができる、シートトレイおよび画像形成装置を提供する。【解決手段】回動トレイ１４，１５には、それぞれ柱状部１０２，１０６が形成されている。第１スライドトレイ１２には、切欠１０３，１０７が形成されている。切欠１０３は、非使用状態から回動トレイ１４が第１展開位置に変位するときに柱状部１０２が描く軌跡上に形成されている。切欠１０７は、非使用状態から回動トレイ１５が第２展開位置に変位するときに柱状部１０６が描く軌跡上に形成されている。そのため、第２スライドトレイ１３がスライド収納位置から引出位置に変位されると、柱状部１０２，１０６がそれぞれ切欠１０３，１０７に沿って移動し、その移動に伴って、回動トレイ１４が第１回動収納位置から第１展開位置に変位し、回動トレイ１５が第２回動収納位置から第２展開位置に変位する。【選択図】図９
2018122952.tif 000002
【特許請求の範囲】
【請求項１】
第１方向および前記第１方向と直交する第２方向の両方向に延びる第１面が形成され、前記第１面に沿って前記第１方向に延びる第１ガイド部を有する第１トレイと、
前記第１面と平行に延びる第２面が形成され、前記第１ガイド部と係合する第２ガイド部を有し、前記第２ガイド部が前記第１ガイド部に対してスライドすることにより、前記第２面が前記第１面に対して前記第１面と直交する直交方向に重なる第１収納位置と前記第１収納位置から前記第１面と前記第２面との重なりが小さくなるよう前記第１方向の一方側に引き出された引出位置とに変位する第２トレイと、
前記第２面と平行に延びる第３面が形成され、前記第２面に軸支されて、前記直交方向に延びる回動軸を中心とする回動により、前記第３面が前記第２面に対して前記直交方向に重なる第２収納位置と前記第２面と前記第３面との重なりが小さくなるよう前記第２方向と交差する方向に延びる展開位置とに変位する第３トレイとを備え、
前記第１トレイおよび前記第３トレイのうちの一方には、前記第２トレイおよび前記第３トレイがそれぞれ前記第１収納位置および前記第２収納位置に位置する非使用状態で前記第１トレイと前記第３トレイとが前記直交方向に重なる領域に、前記第１トレイおよび前記第３トレイのうちの他方に向けて突出する柱状部が形成され、
前記第１トレイおよび前記第３トレイのうちの他方には、切欠が形成され、
前記切欠は、前記非使用状態から前記第３トレイが前記展開位置に変位するときに前記柱状部が描く軌跡上に形成されている、シートトレイ。
【請求項２】
請求項１に記載のシートトレイであって、
前記柱状部は、前記第３トレイに形成され、
前記切欠は、前記第１トレイに形成されている、シートトレイ。
【請求項３】
請求項１または２に記載のシートトレイであって、
前記切欠は、前記非使用状態から前記第３トレイが前記展開位置に変位するときに前記柱状部が前記切欠に対して移動する方向の下流側に開放されており、
前記柱状部が前記切欠から離脱したときに前記第３トレイが前記展開位置を越えて回動することを規制するストッパが設けられている、シートトレイ。
【請求項４】
請求項３に記載のシートトレイであって、
前記第２トレイに取り付けられ、前記第２面との間で前記第３トレイを挟むカバーをさらに備え、
前記カバーの一部は、前記ストッパとして機能する、シートトレイ。
【請求項５】
請求項４に記載のシートトレイであって、
前記第３トレイは、前記第２収納位置から前記展開位置への移動に伴って前記カバーに近づく方向に移動する突出部を有し、
前記カバーの前記一部は、前記第３トレイが前記展開位置に位置するときに前記突出部が当接するように構成されている、シートトレイ。
【請求項６】
請求項２に記載のシートトレイであって、
前記第２トレイに取り付けられ、前記第２面との間で前記第３トレイを挟むカバーをさらに備え、
前記カバーには、前記第３トレイが前記第２収納位置から前記展開位置に変位するときに前記柱状部が描く軌跡上を切り欠くことによるカバー切欠が形成されている、シートトレイ。
【請求項７】
請求項６に記載のシートトレイであって、
前記カバー切欠は、前記第３トレイが前記第２収納位置から前記展開位置に変位するときに前記柱状部が移動する方向の下流側に開放されていない、シートトレイ。
【請求項８】
請求項２に記載のシートトレイであって、
前記切欠は、前記第１トレイの前記第１方向の前記一方側の端縁で開放されており、
前記柱状部は、前記端縁上に位置するときに前記第１方向の他方側に向いて前記第１面に対して傾斜する傾斜面を有している、シートトレイ。
【請求項９】
請求項１〜８のいずれか一項に記載のシートトレイであって、
前記第３トレイは、２個備えられている、シートトレイ。
【請求項１０】
請求項９に記載のシートトレイであって、
前記第２ガイド部は、前記第２トレイにおける前記第２方向の両端部および中央部に設けられており、
２個の前記第３トレイは、それぞれ前記第２方向の中央部の前記第２ガイド部に対して前記第２方向の一方側および他方側に前記回動軸を有している、シートトレイ。
【請求項１１】
請求項１０に記載のシートトレイであって、
前記第２方向の中央部の前記第２ガイド部と係合する前記第１ガイド部における前記第１方向の前記一方側の端部および前記第２方向の中央部の前記第２ガイド部における前記第１方向の他方側の端部には、それぞれ前記第１トレイと前記第２トレイとが前記直交方向に離間することを規制する第１規制部および第２規制部が設けられており、
前記第１トレイにおける前記第１方向の前記一方側の端部には、前記第１面に対して膨出する第１膨出部が設けられ、
前記第２トレイには、前記第２トレイが前記第１方向の前記一方側に移動して前記引出位置に到達する際および前記引出位置から前記第１方向の前記他方側に移動し始める際に前記第１膨出部を乗り越える爪部が設けられている、シートトレイ。
【請求項１２】
請求項１１に記載のシートトレイであって、
前記第１トレイにおける前記第１方向の前記他方側の端部には、前記第１面に対して膨出し、前記第２トレイが前記第１方向の前記他方側に移動して前記第１収納位置に到達する際および前記第１収納位置から前記第１方向の前記一方側に移動し始める際に前記爪部が乗り越える第２膨出部が設けられている、シートトレイ。
【請求項１３】
請求項１２に記載のシートトレイであって、
前記第１トレイにおける前記第１膨出部と前記第２膨出部との間の領域は、その周囲に対して前記第１膨出部および前記第２膨出部が膨出する側と反対側に凹ませて薄肉化されている、シートトレイ。
【請求項１４】
請求項１１に記載のシートトレイであって、
前記第１膨出部は、前記第１方向の前記一方側に向いた第１傾斜面および前記第１方向の前記他方側に向いた第２傾斜面を有し、
前記第１面に対する前記第１傾斜面の傾斜角は、前記第１面に対する前記第２傾斜面の傾斜角よりも大きい、シートトレイ。
【請求項１５】
請求項１２に記載のシートトレイであって、
前記第２膨出部は、前記第１方向の前記一方側に向いた第３傾斜面および前記第１方向の前記他方側に向いた第４傾斜面を有し、
前記第１面に対する前記第４傾斜面の傾斜角は、前記第１面に対する前記第３傾斜面の傾斜角よりも大きい、シートトレイ。
【請求項１６】
シートを支持するシートトレイと、
前記シートトレイから搬送されるシートに画像を形成する画像形成部とを備え、
前記シートトレイは、請求項１〜１５のいずれか一項に記載のシートトレイである、画像形成装置。
【発明の詳細な説明】
【技術分野】
【０００１】
本発明は、シートを支持するシートトレイおよびこれを備える画像形成装置に関する。
【背景技術】
【０００２】
プリンタや複写機などの画像形成装置では、用紙などのシートがシートを支持するトレイ（シートトレイ）から搬送路を搬送され、搬送路の途中に設けられた画像形成部により、その搬送中のシートに画像が形成される。
【０００３】
トレイの一例として、装置本体の側面に片持ち状態で支持されるものが知られている（たとえば、特許文献１参照）。このトレイは、装置本体の側面から延出する基端側載置台と、基端側載置台の先端部に連結された先端側載置台とを備えている。先端側載置台は、基端側載置台上に折り畳まれた位置と先端側載置台に対して展開して基端側載置台の延出方向に延びる位置とに回動可能に設けられている。また、先端側載置台の先端部には、２個の受けレバーが取り付けられている。受けレバーは、先端側載置台の先端縁に沿った収納位置と先端縁に対して傾斜して延出する受け位置とに回動可能に設けられている。
【０００４】
かかる構成により、先端側載置台が基板側載置台上に折り畳まれ、各受けレバーが収納位置に位置する非使用状態で、トレイのサイズがコンパクトになる。一方、先端側載置台が基端側載置台に対して展開し、各受けレバーが受け位置に位置する使用状態では、基端側載置台の延出方向に長尺なシートを基端側載置台、先端側載置台および各受けレバー上に支持することができる。
【先行技術文献】
【特許文献】
【０００５】
【特許文献１】特開平５−２７８８６８号公報
【発明の概要】
【発明が解決しようとする課題】
【０００６】
しかしながら、トレイを非使用状態から使用状態に遷移させるために、先端側載置台を基端側載置台に対して展開させる操作と各受けレバーを収納位置から受け位置に回動させる操作との２操作が必要になる。
【０００７】
本発明の目的は、１操作で非使用状態から使用状態に遷移させることができる、シートトレイおよび画像形成装置を提供することである。
【課題を解決するための手段】
【０００８】
前記の目的を達成するため、本発明の一の局面に係るシートトレイは、第１方向および第１方向と直交する第２方向の両方向に延びる第１面が形成され、第１面に沿って第１方向に延びる第１ガイド部を有する第１トレイと、第１面と平行に延びる第２面が形成され、第１ガイド部と係合する第２ガイド部を有し、第２ガイド部が第１ガイド部に対してスライドすることにより、第２面が第１面に対して第１面と直交する直交方向に重なる第１収納位置と第１収納位置から第１面と第２面との重なりが小さくなるよう第１方向の一方側に引き出された引出位置とに変位する第２トレイと、第２面と平行に延びる第３面が形成され、第２面に軸支されて、直交方向に延びる回動軸を中心とする回動により、第３面が第２面に対して直交方向に重なる第２収納位置と第２面と第３面との重なりが小さくなるよう第２方向と交差する方向に延びる展開位置とに変位する第３トレイとを備え、第１トレイおよび第３トレイのうちの一方には、第２トレイおよび第３トレイがそれぞれ第１収納位置および第２収納位置に位置する非使用状態で第１トレイと第３トレイとが直交方向に重なる領域に、第１トレイおよび第３トレイのうちの他方に向けて突出する柱状部が形成され、第１トレイおよび第３トレイのうちの他方には、切欠が形成され、切欠は、非使用状態から第３トレイが展開位置に変位するときに柱状部が描く軌跡上に形成されている。
【０００９】
この構成によれば、第２トレイの第２ガイド部が第１トレイの第１ガイド部に対してスライドすることにより、第２トレイが第１収納位置と引出位置とに変位する。第２トレイが第１収納位置に位置する状態では、第１トレイの第１面と第２トレイの第２面とが第１面と直交する直交方向に大きく重なる。第２トレイが引出位置に位置する状態では、第１収納位置と比較して、第１面と第２面との重なりが小さくなり、第１面および第２面を直交方向に見た面積が拡大する。
【００１０】
また、第２面と平行に延びる第３面を有する第３トレイが第２トレイの第２面に軸支されている。第３トレイは、直交方向に延びる回動軸を中心とする回動により、第２収納位置と展開位置とに変位する。第３トレイが第２収納位置に位置する状態では、第３面が第２面に対して直交方向に大きく重なる。第３トレイが展開位置に位置する状態では、第２収納位置と比較して、第２面と第３面との重なりが小さくなり、第２面および第３面を直交方向に見た面積が拡大する。
【００１１】
よって、第２トレイおよび第３トレイがそれぞれ第１収納位置および第２収納位置に位置する非使用状態から、第２トレイを引出位置に変位させ、第３トレイを展開位置に変位させることにより、第１面、第２面および第３面を直交方向に見た面積を拡大させることができる。その結果、第２トレイおよび第３トレイがそれぞれ引出位置および展開位置に位置する使用状態において、第１トレイ、第２トレイおよび第３トレイにより、第１方向に長尺なシートを安定して支持することができる。
【００１２】
そして、第１トレイおよび第３トレイのうちの一方には、その他方に向けて突出する柱状部が形成されている。第１トレイおよび第３トレイのうちの他方には、切欠が形成されている。切欠は、非使用状態から第３トレイが展開位置に変位するときに柱状部が描く軌跡上に形成されている。そのため、第２トレイが第１収納位置から引出位置に変位されると、柱状部が切欠に沿って移動し、その移動に伴って第３トレイが第２収納位置から展開位置に変位する。よって、第２トレイを第１収納位置から引出位置に変位させる１操作でシートトレイを非使用状態から使用状態に遷移させることができる。
【００１３】
なお、本発明は、シートトレイの形態で実現することができるだけでなく、たとえば、シートトレイを備える画像形成装置の形態で実現することもできる。
【００１４】
すなわち、本発明の他の局面に係る画像形成装置は、シートを支持するシートトレイと、シートトレイから搬送されるシートに画像を形成する画像形成部とを備え、シートトレイは、第１方向および第１方向と直交する第２方向の両方向に延びる第１面が形成され、第１面に沿って第１方向に延びる第１ガイド部を有する第１トレイと、第１面と平行に延びる第２面が形成され、第１ガイド部と係合する第２ガイド部を有し、第２ガイド部が第１ガイド部に対してスライドすることにより、第２面が第１面に対して第１面と直交する直交方向に重なる第１収納位置と第１収納位置から第１面と第２面との重なりが小さくなるよう第１方向の一方側に引き出された引出位置とに変位する第２トレイと、第２面と平行に延びる第３面が形成され、第２面に軸支されて、直交方向に延びる回動軸を中心とする回動により、第３面が第２面に対して直交方向に重なる第２収納位置と第２収納位置から第２面と第３面との重なりが小さくなるよう第２方向と交差する方向に延びる展開位置とに変位する第３トレイとを備え、第１トレイおよび第３トレイのうちの一方には、第２トレイおよび第３トレイがそれぞれ第１収納位置および第２収納位置に位置する非使用状態で第１トレイと第３トレイとが直交方向に重なる領域に、第１トレイおよび第３トレイのうちの他方に向けて突出する柱状部が形成され、第１トレイおよび第３トレイのうちの他方には、切欠が形成され、切欠は、非使用状態から第３トレイが展開位置に変位するときに柱状部が回動軸に対して描く軌跡上に形成されている。
【発明の効果】
【００１５】
本発明によれば、第２トレイを第１収納位置から引出位置に変位させる１操作でシートトレイを非使用状態から使用状態に遷移させることができる。
【図面の簡単な説明】
【００１６】
【図１】本発明の一実施形態に係るプリンタの左前側から見た斜視図である。
【図２】マルチパーパストレイの左前側から見た斜視図であり、カバートレイが開き、第１スライドトレイが収容位置に位置し、第２スライドトレイがスライド収納位置に位置し、２個の回動トレイがそれぞれ第１回動収納位置および第２回動収納位置に位置する状態を示す。
【図３】マルチパーパストレイの左前側から見た斜視図であり、カバートレイが開き、第１スライドトレイが露出位置に位置し、第２スライドトレイが引出位置に位置し、２個の回動トレイがそれぞれ第１展開位置および第２展開位置に位置する状態を示す。
【図４】図３に示される状態におけるマルチパーパストレイの平面図である。
【図５】図４に示される切断面線Ａ−Ａにおけるマルチパーパストレイの断面図である。
【図６】図４に示される切断面線Ｂ−Ｂにおけるマルチパーパストレイの断面図である。
【図７】図５に示されるマルチパーパストレイの断面図の一部を拡大して示す図である。
【図８】第１スライドトレイ、第２スライドトレイおよび２個の回動トレイを下側から見た図であり、第２スライドトレイがスライド収納位置に位置し、２個の回動トレイがそれぞれ第１回動収納位置および第２回動収納位置に位置する状態を示す。
【図９】第１スライドトレイ、第２スライドトレイおよび２個の回動トレイを下側から見た図であり、第２スライドトレイがスライド収納位置から引出位置側に少し変位し、２個の回動トレイがそれぞれ第１展開位置および第２展開位置に位置する状態を示す。
【図１０】第１スライドトレイ、第２スライドトレイおよび２個の回動トレイを下側から見た図であり、第２スライドトレイが引出位置に位置し、２個の回動トレイがそれぞれ第１展開位置および第２展開位置に位置する状態を示す。
【図１１】第１スライドトレイ、第２スライドトレイおよび２個の回動トレイの平面図であり、２個の回動トレイがそれぞれ第１展開位置および第２展開位置に位置し、柱状部が切欠の前端上に位置する状態を示す。
【図１２】図１１に示される切断面線Ｃ−Ｃにおける第１スライドトレイ、第２スライドトレイおよび回動トレイの断面図である。
【図１３】第１スライドトレイ、第２スライドトレイおよび２個の回動トレイの平面図であり、２個の回動トレイがそれぞれ第１回動収納位置および第２回動収納位置に位置し、柱状部が第１スライドトレイの前端縁に当接した状態を示す。
【図１４】図１３に示される切断面線Ｄ−Ｄにおける第１スライドトレイ、第２スライドトレイおよび回動トレイの断面図である。
【図１５】変形例について説明するための第１スライドトレイ、第２スライドトレイおよび回動トレイの平面図である。
【発明を実施するための形態】
【００１７】
以下では、本発明の実施の形態について、添付図面を参照しつつ詳細に説明する。
【００１８】
＜画像形成装置＞
図１に示されるように、画像形成装置の一例であるプリンタ１は、略直方体形状の筐体２を備えている。
【００１９】
筐体２の底部には、給紙トレイ３が設けられている。給紙トレイ３は、複数枚のシートを積層状態で支持することができる。筐体２の正面には、マルチパーパストレイ４（シートトレイの一例）が設けられている。マルチパーパストレイ４は、筐体２の正面に沿って閉じた位置（図１に実線で示される位置）とその位置から手前側に倒伏して開いた位置（図１に二点鎖線で示される位置）とに変位可能に設けられている。マルチパーパストレイ４は、開いた状態で、複数枚のシートを積層状態で支持することができる。筐体２の上面には、排紙トレイ５が形成されている。給紙トレイ３またはマルチパーパストレイ４に支持されているシートは、給紙トレイ３またはマルチパーパストレイ４から筐体２内に１枚ずつ送り出され、筐体２内を排紙トレイ５に向けて搬送される。シートが筐体２内を搬送される間に、筐体２内に収容されている画像形成部６により、シートに画像（カラー画像またはモノクロ画像）が形成される。画像形成部６による画像形成の方式は、電子写真方式であってもよいし、インクジェット方式であってもよい。画像が形成されたシートは、排紙トレイ５上に排出される。
【００２０】
なお、マルチパーパストレイ４が設けられている正面側をプリンタ１の「前側」とし、その反対側を「後側」と規定する。そして、水平面に載置されたプリンタ１を「前側」から見た状態を基準に、プリンタ１の「上側」、「下側」、「左側」および「右側」を規定する。以下の説明で使用される方向は、マルチパーパストレイ４のカバートレイ１１（図２参照）が開いた位置での方向であり、各図では、その方向が矢印で示されている。
【００２１】
＜マルチパーパストレイ＞
マルチパーパストレイ４は、図２、図３および図４に示されるように、カバートレイ１１、第１スライドトレイ１２（第１トレイの一例）、第２スライドトレイ１３（第２トレイの一例）および２個の回動トレイ１４，１５（第３トレイの一例）を備えている。
【００２２】
＜カバートレイ＞
カバートレイ１１は、マルチパーパストレイ４の基端部である。カバートレイ１１は、マルチパーパストレイ４が閉じた位置で外面が筐体２の正面（前面）の一部を構成する外側トレイ２１と、外側トレイ２１に対してその内面側に隙間を開けて積み重なる内側トレイ（図示せず）とを備えている。
【００２３】
外側トレイ２１は、略矩形板状をなしている。外側トレイ２１の基端側（マルチパーパストレイ４が開いた状態での後側）の端部には、図４に示されるように、左揺動軸部２２および右揺動軸部２３が形成されている。左揺動軸部２２および右揺動軸部２３は、それぞれ外側トレイ２１の左側面から左側および右側面から右側に突出している。左揺動軸部２２および右揺動軸部２３が筐体２に回動可能に保持されることにより、カバートレイ１１は、筐体２に片持ち状態で揺動可能に支持されている。
【００２４】
外側トレイ２１の内面には、左右方向の中央部に、左ガイドレール２４および右ガイドレール２５が形成されている。左ガイドレール２４および右ガイドレール２５は、それぞれ外側トレイ２１の左右方向の中央を挟んだ左側および右側に設けられ、互いに平行をなして左右方向と直交する方向（前後方向）に延びる突条をなしている。
【００２５】
左ガイドレール２４および右ガイドレール２５の各上端部には、それぞれ複数の規制部２６，２７が前後方向に間隔を開けて形成されている。規制部２６，２７は、それぞれ左ガイドレール２４から左側および右ガイドレール２５から右側に突出し、前後方向に延びている。
【００２６】
外側トレイ２１の左端部および右端部には、図４および図６に示されるように、前後方向に細長く延びる板状の端規制部２８，２９が形成されている。外側トレイ２１の内面と端規制部２８，２９との間には、間隔が開けられている。
【００２７】
また、左ガイドレール２４および右ガイドレール２５の先端側（前側）および基端側（後側）の端部間には、図４に示されるように、それぞれ膨出部３１，３２が形成されている。膨出部３１は、図５に示されるように、外側トレイ２１の内面から上側に膨出し、前側に向いた前傾斜面３３および後側に向いた後傾斜面３４を有する断面台形状をなしている。膨出部３２は、外側トレイ２１の内面から上側に膨出し、前側に向いた前傾斜面３5および後側に向いた後傾斜面３６を有する断面台形状をなしている。
【００２８】
＜第１スライドトレイ＞
第１スライドトレイ１２は、図４に示されるように、カバートレイ１１よりも小サイズの略矩形板状をなしている。第１スライドトレイ１２の左右方向の中央部には、中央ガイド部４１，４２（第１ガイド部の一例）が設けられている。中央ガイド部４１，４２は、図６に示されるように、それぞれカバートレイ１１の左ガイドレール２４および右ガイドレール２５を左右両側および上側から覆う断面形状（断面略コ字状）に形成されている。これにより、中央ガイド部４１，４２がそれぞれ左ガイドレール２４および右ガイドレール２５に案内されつつ、第１スライドトレイ１２が外側トレイ２１と内側トレイ（図示せず）との間に収容される収容位置とその収容位置よりも前側の位置であってカバートレイ１１から露出する露出位置との間でスライド可能となっている。
【００２９】
また、中央ガイド部４１，４２には、それぞれ被規制部４３，４４が形成されている。カバートレイ１１に対する第１スライドトレイ１２の前後方向（スライド方向）の位置にかかわらず、被規制部４３は、左ガイドレール２４の規制部２６のいずれかに下側から対向し、被規制部４４は、右ガイドレール２５の規制部２７のいずれかに下側から対向する。さらに、第１スライドトレイ１２の左端部および右端部は、それぞれ外側トレイ２１の内面と端規制部２８，２９との間に入り込んでいる。そのため、被規制部４３，４４にそれぞれ外側トレイ２１の規制部２６，２７が上側から対向し、第１スライドトレイ１２の左端部および右端部にそれぞれ外側トレイ２１の端規制部２８，２９が上側から対向する。これにより、第１スライドトレイ１２が外側トレイ２１に対して上側に離間することが抑制されている。
【００３０】
第１スライドトレイ１２における中央ガイド部４１，４２の間の中央部分４５は、中央ガイド部４１，４２の左右方向外側の部分、つまり左側の中央ガイド部４１の左側の部分および右側の中央ガイド部４１の右側の部分よりも下側に凹ませることにより薄肉化されている。
【００３１】
その薄肉化された中央部分４５の後端部には、爪部４６が設けられている。爪部４６は、図４に示されるように、中央部分４５における左右方向に互いに間隔を開けた２箇所を中央部分４５の後端縁から前側に延びるスリット状に切り欠くことにより、そのスリット状の切欠の間の部分として形成されている。そのため、爪部４６の先端部（前端部）は、遊端になっている。爪部４６の先端部には、下側に凸となる凸部４７が形成されている。
【００３２】
第１スライドトレイ１２が収容位置に位置する状態では、爪部４６の凸部４７がカバートレイ１１の膨出部３２の後側に位置する。また、第１スライドトレイ１２が露出位置に位置する状態では、爪部４６の凸部４７がカバートレイ１１の膨出部３１の前側に位置する。凸部４７が膨出部３１，３２を跨いで移動される際には、爪部４６が弾性変形しつつ、凸部４７が膨出部３１，３２に乗り上げ、凸部４７が膨出部３１，３２を乗り越えると、爪部４６が復元する。これにより、第１スライドトレイ１２が収容位置および露出位置からスライド開始される際の操作、ならびに第１スライドトレイ１２が収容位置および露出位置に戻される際の操作にクリック感を出すことができる。また、第１スライドトレイ１２を収容位置および露出位置に保持することができる。
【００３３】
また、中央部分４５には、膨出部５１，５２が形成されている。
【００３４】
膨出部５１（第２膨出部の一例）は、図７に示されるように、爪部４６の前側に位置している。膨出部５１は、中央部分４５の上面から上側に膨出して、前側に向いた前傾斜面５３（第３傾斜面の一例）および後側に向いた後傾斜面５４（第４傾斜面の一例）を有する断面台形状をなしている。第１スライドトレイ１２の上面５５（第１面の一例）に対する後傾斜面５４の傾斜角α１は、上面５５に対する前傾斜面５３の傾斜角β１よりも大きい。
【００３５】
膨出部５２（第１膨出部の一例）は、中央部分４５の前端部に位置している。膨出部５２は、中央部分４５の上面から上側に膨出して、前側に向いた前傾斜面５６（第１傾斜面の一例）および後側に向いた後傾斜面５７（第２傾斜面の一例）を有する断面台形状をなしている。第１スライドトレイ１２の上面５５に対する前傾斜面５６の傾斜角β２は、上面５５に対する後傾斜面５７の傾斜角α２よりも大きい。
【００３６】
また、中央ガイド部４１，４２の各上端部には、図４に示されるように、それぞれ複数の規制部６１，６２（第１規制部の一例）が前後方向に間隔を開けて形成されている。規制部６１，６２は、図６に示されるように、それぞれ中央ガイド部４１から左側および中央ガイド部４２から右側に突出し、前後方向に延びている。
【００３７】
第１スライドトレイ１２の左端部および右端部には、それぞれ左ガイド部６３および右ガイド部６４（第１ガイド部の一例）が設けられている。左ガイド部６３は、第１スライドトレイ１２から上側に立ち上がり、右側に屈曲して延びる断面略Ｌ字状をなしている。右ガイド部６４は、第１スライドトレイ１２から上側に立ち上がり、左側に屈曲して延びる断面略Ｌ字状をなしている。
【００３８】
＜第２スライドトレイ＞
第２スライドトレイ１３は、図４に示されるように、第１スライドトレイ１２よりも小サイズの略矩形板状をなしている。第２スライドトレイ１３の左右方向の中央部には、中央ガイド部７１，７２が設けられている。中央ガイド部７１，７２は、図６に示されるように、それぞれ第１スライドトレイ１２の中央ガイド部４１，４２を左右両側および上側から覆う断面形状（断面略コ字状）に形成されている。また、第２スライドトレイ１３の左端部および右端部には、それぞれ左ガイド部７３および右ガイド部７４（第２ガイド部の一例）が設けられている。左ガイド部７３および右ガイド部７４は、左右方向および前後方向に延びる板状をなし、それぞれ第１スライドトレイ１２の上面５５と左ガイド部６３および右ガイド部６４との間に入り込んでいる。これにより、中央ガイド部７１，７２がそれぞれ中央ガイド部４１，４２に案内され、左ガイド部７３および右ガイド部７４がそれぞれ左ガイド部６３および右ガイド部６４に案内されつつ、第２スライドトレイ１３の下面７５（第２面の一例）が第１スライドトレイ１２の上面５５の上側に重なるスライド収納位置とそのスライド収納位置から下面７５と第１スライドトレイ１２の上面５５との重なりが小さくなるよう前側に引き出された引出位置との間でスライド可能となっている。
【００３９】
また、中央ガイド部７１，７２には、それぞれ被規制部７６，７７（第２規制部の一例）が形成されている第１スライドトレイ１２に対する第２スライドトレイ１３の前後方向（スライド方向）の位置にかかわらず、被規制部７６は、第１スライドトレイ１２の規制部６１のいずれかに下側から対向し、被規制部７７は、第１スライドトレイ１２の規制部６２のいずれかに下側から対向する。そのため、被規制部７６，７７にそれぞれ第１スライドトレイ１２の規制部６１，６２が上側から対向し、第２スライドトレイ１３の左端部および右端部にそれぞれ第１スライドトレイ１２の左ガイド部６３および右ガイド部６４が上側から対向する。これにより、第２スライドトレイ１３が第１スライドトレイ１２に対して上側に離間することが抑制されている。
【００４０】
第２スライドトレイ１３における中央ガイド部７１，７２の間の後端部には、爪部７８が設けられている。爪部７８は、図４に示されるように、第２スライドトレイ１３における左右方向に互いに間隔を開けた２箇所を前後方向に延びるスリット状に切り欠き、そのスリット状の切欠の後端部間に跨がるようにスリット状に切り欠くことにより、それらのスリット状の切欠に囲まれる部分として形成されている。そのため、爪部７８の先端部（前端部）は、遊端になっている。爪部７８の先端部には、下側に凸となる凸部７９が形成されている。
【００４１】
第２スライドトレイ１３がスライド収納位置に位置する状態では、爪部７８の凸部７９が第１スライドトレイ１２の膨出部５１の後側に位置する。また、第２スライドトレイ１３が引出位置に位置する状態では、爪部７８の凸部７９が第１スライドトレイ１２の膨出部５２の前側に位置する。凸部７９が膨出部５１，５２を跨いで移動される際には、爪部７８が弾性変形しつつ、凸部７９が膨出部５１，５２に乗り上げ、凸部７９が膨出部５１，５２を乗り越えると、爪部７８が復元する。これにより、第２スライドトレイ１３がスライド収納位置および引出位置からスライド開始される際の操作、ならびに第２スライドトレイ１３がスライド収納位置および引出位置に戻される際の操作にクリック感を出すことができる。
【００４２】
膨出部５１の後傾斜面５４の傾斜角α１が前傾斜面５３の傾斜角β１よりも大きいので、凸部７９がスライド収納位置側から膨出部５１を乗り越えるときに、凸部７９が引出位置側から膨出部５１を乗り越えるときよりも、第２スライドトレイ１３をスライドさせるのに大きな力を要する。また、膨出部５２の前傾斜面５６の傾斜角β２が後傾斜面５７の傾斜角α２よりも大きいので、凸部７９が引出位置側から膨出部５２を乗り越えるときに、凸部７９がスライド収納位置側から膨出部５２を乗り越えるときよりも、第２スライドトレイ１３をスライドさせるのに大きな力を要する。
【００４３】
しかも、第１スライドトレイ１２の中央部分４５がその周囲の部分よりも下側に凹ませることにより薄肉化されているので、凸部７９が膨出部５１，５２間で移動する際に中央部分４５に接触しない。
【００４４】
よって、第２スライドトレイ１３をスライド収納位置および引出位置から容易に移動しないようにスライド収納位置および引出位置に保持することができ、かつ、爪部７８の凸部７９が膨出部５１，５２を乗り越えた後は、第１スライドトレイ１２を小さな力でスムーズにスライドさせることができる。また、凸部７９が膨出部５１，５２間で移動する際に中央部分４５に接触しない構成により、爪部７８が常に弾性変形した状態に維持されることを抑制でき、爪部７８が塑性変形することを抑制できる。
【００４５】
＜回動トレイ＞
２個の回動トレイ１４，１５は、図３および図４に示されるように、第２スライドトレイ１３の前端部に中央ガイド部４１，４２を挟んで左右方向に対称に設けられて、第２スライドトレイ１３の下面７５に回動可能に軸支されている。
【００４６】
具体的には、回動トレイ１４，１５は、一方向に延びる板状をなしている。第２スライドトレイ１３の下面７５の前端部には、図４、図８、図９、図１０および図１１に示されるように、中央ガイド部４１から左側および中央ガイド部４２から右側に等しい距離を開けた位置に、それぞれ回動軸８１，８２が形成されている。
【００４７】
左側の回動トレイ１４は、一端部に回動軸８１が遊びを有して挿通されることにより、第２スライドトレイ１３の下面７５に回動可能に軸支されている。回動トレイ１４の上面８３（第３面の一例）は、第２スライドトレイ１３の下面７５と平行に延び、図４に示されるように、その長手方向に回動軸８１の中心と第２スライドトレイ１３の前端縁との間の前後方向の距離Ｄ１よりも長い寸法Ｄ２を有している。そして、左側の回動トレイ１４は、回動軸８１を中心とする回動により、回動軸８１から左側に延びて上面８３が第２スライドトレイ１３の下面７５に下側から重なる第１回動収納位置と、上面８３と下面７５との重なりが小さくなるよう回動軸８１から左前側に延びる第１展開位置とに変位可能となっている。
【００４８】
右側の回動トレイ１５は、一端部に回動軸８２が遊びを有して挿通されることにより、第２スライドトレイ１３の下面７５に回動可能に軸支されている。回動トレイ１５の上面８４（第３面の一例）は、第２スライドトレイ１３の下面７５と平行に延び、その長手方向に回動軸８１の中心と第２スライドトレイ１３の前端縁との間の前後方向の距離Ｄ１よりも長い寸法Ｄ２を有している。そして、右側の回動トレイ１５は、回動軸８２を中心とする回動により、回動軸８２から右側に延びて上面８４が第２スライドトレイ１３の下面７５に下側から重なる第２回動収納位置と、上面８３と下面７５との重なりが小さくなるよう回動軸８１から右前側に延びる第２展開位置とに変位可能となっている。
【００４９】
図８〜図１０に示されるように、回動トレイ１４，１５の前端縁に沿って、それぞれ壁状部８５，８６が下側に突出して形成されている。回動トレイ１４，１５がそれぞれ第１回動収納位置および第２回動収納位置に位置する状態において、壁状部８５，８６の左右方向中央側の各端部８７，８８（突出部の一例）は、後側に屈曲して前側に折り返されたＶ字状をなしている。
【００５０】
第２スライドトレイ１３の下面７５には、図９および図１０に示されるように、カバー９１，９２が取り付けられており、回動トレイ１４，１５は、それぞれ第２スライドトレイ１３の下面７５とカバー９１，９２とに挟まれている。カバー９１，９２は、左右対称な構成を有している。回動トレイ１４，１５がそれぞれ第１回動収納位置および第２回動収納位置に位置する状態では、図８に示されるように、壁状部８５，８６がそれぞれカバー９１，９２の前端縁に当接し、カバー９１，９２により、それぞれ回動トレイ１４の壁状部８５を除く部分のほぼ全域および回動トレイ１５の壁状部８６を除く部分のほぼ全域が覆われる。また、カバー９１，９２には、前端部における左右方向中央側の端部に、それぞれ略矩形状に切り欠かれた切欠部９３，９４が形成されている。回動トレイ１４が第１回動収納位置から第１展開位置に向けて回動し、回動トレイ１５が第２回動収納位置から第２展開位置に向けて回動すると、壁状部８５の端部８７および壁状部８６の端部８８がそれぞれ切欠部９３，９４に進入する。そして、回動トレイ１４，１５がそれぞれ第１展開位置および第２展開位置に位置する状態では、図１０に示されるように、壁状部８５の端部８７および壁状部８６の端部８８がそれぞれ切欠部９３，９４の端縁に当接する。この当接により、回動トレイ１４，１５がそれぞれ第１展開位置および第２展開位置を越えて回動することが規制される。すなわち、切欠部９３，９４の端縁は、それぞれ回動トレイ１４，１５の回動量を規制するストッパの機能を果たしている。
【００５１】
そして、回動トレイ１４には、回動軸８１に対して左後側に離間した位置に、下面１０１から下側に突出する柱状部１０２が形成されている。柱状部１０２に対応して、第１スライドトレイ１２およびカバー９１には、それぞれ切欠１０３およびカバー切欠１０４が形成されている。切欠１０３は、第２スライドトレイ１３および回動トレイ１４がそれぞれスライド収納位置および第１回動収納位置に位置する非使用状態から回動トレイ１４が第１展開位置に変位するときに柱状部１０２が描く軌跡上を延びるスリット状に形成され、第１スライドトレイ１２の前端縁で開放されている。カバー切欠１０４は、回動トレイ１４が第１回動収納位置から第１展開位置に変位するときに柱状部１０２が描く軌跡上を延びるスリット状に形成されており、図８に示されるように、非使用状態で切欠１０３と上下方向に重なる。カバー切欠１０４の両端は、開放されていない。これにより、カバー９１にカバー切欠１０４が形成されることによるカバー９１の強度の低下を抑制でき、カバー９１の強度を確保することができる。
【００５２】
また、回動トレイ１５には、回動軸８２に対して右後側に離間した位置に、下面１０５から下側に突出する柱状部１０６が形成されている。柱状部１０６に対応して、第１スライドトレイ１２およびカバー９２には、それぞれ切欠１０７およびカバー切欠１０８が形成されている。切欠１０７は、第２スライドトレイ１３および回動トレイ１４がそれぞれスライド収納位置および第１回動収納位置に位置する非使用状態から回動トレイ１４が第１展開位置に変位するときに柱状部１０６が描く軌跡上を延びるスリット状に形成され、第１スライドトレイ１２の前端縁で開放されている。カバー切欠１０８は、回動トレイ１４が第１回動収納位置から第１展開位置に変位するときに柱状部１０６が描く軌跡上を延びるスリット状に形成されており、非使用状態で切欠１０７と上下方向に重なる。カバー切欠１０８の両端は、開放されていない。これにより、カバー９２にカバー切欠１０８が形成されることによるカバー９２の強度の低下を抑制でき、カバー９２の強度を確保することができる。
【００５３】
＜トレイ動作＞
第２スライドトレイ１３がスライド収納位置に位置し、回動トレイ１４，１５がそれぞれ第１回動収納位置および第２回動収納位置に位置する非使用状態では、図８に示されるように、柱状部１０２が切欠１０３およびカバー切欠１０４に挿通され、柱状部１０６が切欠１０７およびカバー切欠１０８に挿通されている。
【００５４】
非使用状態から、第２スライドトレイ１３が引出位置に向けてスライドされると、柱状部１０２，１０６がそれぞれ切欠１０３，１０７に沿って移動し、この移動に伴って、回動トレイ１４が第１回動収納位置から第１展開位置に向けて回動し、回動トレイ１５が第２回動収納位置から第２展開位置に向けて回動する。回動トレイ１４，１５がそれぞれ第１展開位置および第２展開位置に到達すると、回動トレイ１４の壁状部８５の端部８７および回動トレイ１５の壁状部８６の端部８８がそれぞれ切欠部９３，９４の端縁に当接し、それ以上の回動が規制される。
【００５５】
その後、第２スライドトレイ１３が引出位置に向けてさらにスライドされると、図９に示されるように、柱状部１０２，１０６がそれぞれ切欠１０３，１０７から離脱する。そして、第２スライドトレイ１３が引出位置に到達すると、図１０に示されるように、第２スライドトレイ１３が引出位置に位置し、回動トレイ１４，１５がそれぞれ第１展開位置および第２展開位置に位置する使用状態となる。
【００５６】
使用状態から、図１１に示されるように、回動トレイ１４，１５がそれぞれ第１展開位置および第２展開位置に位置したまま第２スライドトレイ１３がスライド収納位置に向けてスライドされる場合、スライド途中で、柱状部１０２，１０６がそれぞれ切欠１０３，１０７の開放された前端から切欠１０３，１０７に進入する。図１２には、柱状部１０２が切欠１０３の前端上に位置する状態が示されている。第２スライドトレイ１３がスライド収納位置に向けてさらにスライドされると、柱状部１０２，１０６がそれぞれ切欠１０３，１０７に沿って移動し、この移動に伴って、回動トレイ１４が第１展開位置から第１回動収納位置に向けて回動し、回動トレイ１５が第２展開位置から第２回動収納位置に向けて回動する。回動トレイ１４，１５がそれぞれ第１回動収納位置および第２回動収納位置に到達すると、回動トレイ１４の壁状部８５および回動トレイ１４の壁状部８６がそれぞれカバー９１，９２の前端縁に当接し、それ以上の回動が規制される。その後、第２スライドトレイ１３がスライド収納位置に到達すると、第２スライドトレイ１３および回動トレイ１４，１５の非使用状態に戻る。
【００５７】
一方、使用状態から、図１３に示されるように、回動トレイ１４，１５がそれぞれ第１回動収納位置および第２回動収納位置に戻された後、第２スライドトレイ１３が引出位置に向けてスライドされる場合、柱状部１０２，１０６がそれぞれ切欠１０３，１０７の前端と前後方向に対向する位置からカバー切欠１０４，１０８内を移動している。そのため、柱状部１０２，１０６は、第２スライドトレイ１３のスライドの途中、それぞれ切欠１０３，１０７の開放された前端から切欠１０３，１０７に進入せず、第１スライドトレイ１２の前端縁に前側から当接する。図１４には、柱状部１０２が第１スライドトレイ１２の前端縁に当接した状態が示されている。柱状部１０２，１０６は、第１スライドトレイ１２の前端縁に当接した状態で、それぞれ後上がりに傾斜する傾斜面１１１を有している。そのため、柱状部１０２，１０６が第１スライドトレイ１２の前端縁に当接した後、第１スライドトレイ１２がスライド収納位置に向けて移動されると、傾斜面１１１から第１スライドトレイ１２に第１スライドトレイ１２の前端部を下側に押し下げる力が付与される。これにより、第１スライドトレイ１２の前端部が弾性変形し、柱状部１０２，１０６が第１スライドトレイ１２の上面５５上に乗り上がる。そして、第２スライドトレイ１３がさらにスライドされると、柱状部１０２，１０６がそれぞれ切欠１０３，１０７に嵌まり、第１スライドトレイ１２の前端部が復元する。その後、第２スライドトレイ１３がスライド収納位置に到達すると、第２スライドトレイ１３および回動トレイ１４，１５の非使用状態に戻る。
【００５８】
＜作用効果＞
以上のように、第２スライドトレイ１３の中央ガイド部７１，７２、左ガイド部７３および右ガイド部７４がそれぞれ第１スライドトレイ１２の中央ガイド部４１，４２、左ガイド部６３および右ガイド部６４に対してスライドすることにより、第２スライドトレイ１３がスライド収納位置と引出位置とに変位する。第２スライドトレイ１３がスライド収納位置に位置する状態では、第１スライドトレイ１２の上面５５と第２スライドトレイ１３の下面７５とが上下方向に大きく重なる。第２スライドトレイ１３が引出位置に位置する状態では、スライド収納位置と比較して、上面５５と下面７５との重なりが小さくなり、第１スライドトレイ１２および第２スライドトレイ１３を上下方向に見た面積が拡大する。
【００５９】
また、下面７５と平行に延びる上面８３，８４をそれぞれ有する回動トレイ１４，１５が第２スライドトレイ１３の下面７５に軸支されている。回動トレイ１４は、上下方向に延びる回動軸８１を中心とする回動により、第１回動収納位置と第１展開位置とに変位する。回動トレイ１５は、上下方向に延びる回動軸８２を中心とする回動により、第２回動収納位置と第２展開位置とに変位する。回動トレイ１４，１５がそれぞれ第１回動収納位置および第２回動収納位置に位置する状態では、上面８３，８４が第２スライドトレイ１３の下面７５に対して直交方向に大きく重なる。回動トレイ１４，１５がそれぞれ第１展開位置および第２展開位置に位置する状態では、第１回動収納位置および第２回動収納位置と比較して、第２スライドトレイ１３の下面７５と上面８３，８４との重なりが小さくなり、第２スライドトレイ１３および回動トレイ１４，１５を上下方向に見た面積が拡大する。
【００６０】
よって、第２スライドトレイ１３がスライド収納位置に位置し、回動トレイ１４，１５がそれぞれ第１回動収納位置および第２回動収納位置に位置する非使用状態から、第２スライドトレイ１３を引出位置に変位させ、回動トレイ１４，１５をそれぞれ第１展開位置および第２展開位置に変位させることにより、第１スライドトレイ１２、第２スライドトレイ１３および回動トレイ１４，１５を上下方向に見た面積を拡大させることができる。その結果、第２スライドトレイ１３が引出位置に位置し、回動トレイ１４，１５がそれぞれ第１展開位置および第２展開位置に位置する使用状態において、第１スライドトレイ１２、第２スライドトレイ１３および回動トレイ１４，１５により、前後方向に長尺なシートを安定して支持することができる。
【００６１】
そして、回動トレイ１４，１５には、それぞれ柱状部１０２，１０６が形成されている。第１スライドトレイ１２には、切欠１０３，１０７が形成されている。切欠１０３は、非使用状態から回動トレイ１４が第１展開位置に変位するときに柱状部１０２が描く軌跡上に形成されている。切欠１０７は、非使用状態から回動トレイ１５が第２展開位置に変位するときに柱状部１０６が描く軌跡上に形成されている。そのため、第２スライドトレイ１３がスライド収納位置から引出位置に変位されると、柱状部１０２，１０６がそれぞれ切欠１０３，１０７に沿って移動し、その移動に伴って、回動トレイ１４が第１回動収納位置から第１展開位置に変位し、回動トレイ１５が第２回動収納位置から第２展開位置に変位する。よって、第２スライドトレイ１３をスライド収納位置から引出位置に変位させる１操作で、第２スライドトレイ１３および２個の回動トレイ１４，１５を非使用状態から使用状態に遷移させることができる。
【００６２】
回動トレイ１４，１５がそれぞれ第１展開位置および第２展開位置に位置する状態では、回動トレイ１４の壁状部８５の端部８７および回動トレイ１５の壁状部８６の端部８８がそれぞれカバー９１，９２に当接することにより、回動トレイ１４，１５がそれぞれ第１展開位置および第２展開位置を越えて回動することが規制される。そのため、使用状態から、回動トレイ１４，１５がそれぞれ第１展開位置および第２展開位置に位置したまま第２スライドトレイ１３がスライド収納位置に向けてスライドされる場合に、柱状部１０２，１０６がそれぞれ切欠１０３，１０７の開放された前端から切欠１０３，１０７にスムーズに進入する。その結果、第２スライドトレイ１３をスムーズにスライドさせることができ、また、回動トレイ１４，１５をそれぞれ第１回動収納位置および第２回動収納位置までスムーズに回動させることができる。
【００６３】
また、カバー９１，９２が設けられていることにより、回動トレイ１４，１５の強度が上がり、回動トレイ１４，１５が下側に撓み変形することを抑制できながら、そのカバー９１，９２をそれぞれ回動トレイ１４，１５の回動量を規制するストッパとしても利用することができる。
【００６４】
カバー９１には、回動トレイ１４が第１回動収納位置から第１展開位置に変位するときに柱状部１０２が描く軌跡上を切り欠くことによるカバー切欠１０４が形成されている。カバー９２には、回動トレイ１５が第２回動収納位置から第２展開位置に変位するときに柱状部１０６が描く軌跡上を切り欠くことによるカバー切欠１０８が形成されている。柱状部１０２，１０６は、それぞれカバー切欠１０４，１０８内を移動可能に設けられている。これにより、回動トレイ１４，１５がそれぞれ第１回動収納位置および第２回動収納位置に位置する状態では、カバー９１，９２によりそれぞれ回動トレイ１４，１５の大部分を覆うことができ、回動トレイ１４，１５の強度を効果的に上げることができながら、柱状部１０２，１０６の移動が妨げられることを抑制できる。
【００６５】
＜変形例＞
以上、本発明の一実施形態について説明したが、本発明は、他の形態で実施することもできる。
【００６６】
たとえば、前述の実施形態では、回動トレイ１４，１５にそれぞれ柱状部１０２，１０６が形成され、第１スライドトレイ１２に切欠１０３，１０７が形成されて、第２スライドトレイ１３のスライドに伴って、柱状部１０２，１０６がそれぞれ切欠１０３，１０７に沿って移動することにより、回動トレイ１４が第１回動収納位置と第１展開位置との間で回動し、回動トレイ１５が第２回動収納位置と第２展開位置との間で回動する構成を取り上げた。これに代えて、図１５に示されるように、第１スライドトレイ１２の上面５５に柱状部２０１が設けられ、回動トレイ１４に切欠２０２が設けられて、第２スライドトレイ１３のスライドに伴って、柱状部２０１が切欠２０２に沿って移動することにより、回動トレイ１４が第１回動収納位置と第１展開位置との間で回動する構成が採用されてもよい。回動トレイ１５についても同様である。
【００６７】
また、前述の実施形態では、画像形成装置の一例としてプリンタ１を取り上げたが、本発明が適用される画像形成装置は、単機能のプリンタ１に限らず、画像形成機能および画像読取機能を有するファクシミリ装置や複合機であってもよい。
【００６８】
本発明が適用される装置は、画像形成装置に限らず、本発明は、シートを支持するシートトレイを備える各種の装置に適用できる。
【００６９】
その他、前述の構成には、特許請求の範囲に記載された事項の範囲で種々の設計変更を施すことが可能である。
【符号の説明】
【００７０】
１：プリンタ
４：マルチパーパストレイ
６：画像形成部
１２：第１スライドトレイ
１３：第２スライドトレイ
１４，１５：回動トレイ
４１，４２：中央ガイド部
５３，５６：前傾斜面
５４，５７：後傾斜面
５５：上面
６１，６２：規制部
６３，７３：左ガイド部
６４，７４：右ガイド部
７１，７２：中央ガイド部
７５：下面
７６，７７：被規制部
７８：爪部
８１，８２：回動軸
８３，８４：上面
８７，８８：端部
９１，９２：カバー
１０２，１０６：柱状部
１０３，１０７：切欠
１０４，１０８：カバー切欠
１１１：傾斜面
２０１：柱状部
２０２：切欠
α１，α２，β１，β２：傾斜角
【図１】
2018122952.tif 000003
【図２】
2018122952.tif 000004
【図３】
2018122952.tif 000005
【図４】
2018122952.tif 000006
【図５】
2018122952.tif 000007
【図６】
2018122952.tif 000008
【図７】
2018122952.tif 000009
【図８】
2018122952.tif 000010
【図９】
2018122952.tif 000011
【図１０】
2018122952.tif 000012
【図１１】
2018122952.tif 000013
【図１２】
2018122952.tif 000014
【図１３】
2018122952.tif 000015
【図１４】
2018122952.tif 000016
【図１５】
2018122952.tif 000017